(57)【要約】【課題】  効果的な放熱が可能で、携帯性およびデザイン性に優れた撮影装置および放熱方法を提供することを目的とする。【解決手段】  被写体を撮像素子上に結像して画像データを生成する撮影装置において、  ボディ１００９と、ボディ１００９から少なくとも一部が突出する鏡胴１０００と、鏡胴１０００の外周に露出して配置された、電源オン時に、電源オフ時と比べボディ１００９からの露出量を増大させる放熱部材１０９０とを備えた。【選択図】        図１４
2008092066.tif 000002
【特許請求の範囲】
【請求項１】
被写体を撮像素子上に結像して画像データを生成する撮影装置において、
ボディと、
前記ボディから少なくとも一部が突出する鏡胴と、
前記の外周に露出して配置された、電源オン時に、電源オフ時と比べ前記ボディからの露出量を増大させる放熱部材とを備えたことを特徴とする撮影装置。
【請求項２】
前記放熱部材は、手動操作で前記ボディからの露出量が変更されるものであって、
前記放熱部材の少なくとも一部が前記ボディから引き出されることによって電源オンに切り替えるとともに、少なくとも一部が前記ボディに収納されることによって電源オフに切り替える電源スイッチを備えたことを特徴とする請求項１記載の撮影装置。
【請求項３】
前記放熱部材とは独立に電源オン、オフ操作が行われる電源スイッチと、
前記電源スイッチによる電源オンおよび電源オフに応じて、それぞれ、前記放熱部材の前記ボディからの露出量を増大させ、および減少させる駆動部とを備えたことを特徴とする請求項１記載の撮影装置。
【請求項４】
被写体を撮像素子上に結像して画像データを生成する撮影装置において、
ボディと、
前記ボディから少なくとも一部が突出する鏡胴と、
前記鏡胴の外周に露出して配置された、
撮影モードに応じて前記ボディからの露出量を変化させる放熱部材とを備えたことを特徴とする撮影装置。
【請求項５】
前記放熱部材は、手動操作で前記ボディからの露出量が変更されるものであって、
前記放熱部材の前記ボディからの露出量変更操作に応じて撮影モード切替え操作が行われるモード切替スイッチを備えたことを特徴とする請求項４記載の撮影装置。
【請求項６】
前記放熱部材とは独立に撮影モード切替え操作が行われるモード切替スイッチと、
前記モード切替スイッチによる撮影モードの切替えに応じて前記放熱部材の前記ボディからの露出量を変更させる駆動部とを備えたことを特徴とする請求項４記載の撮影装置。
【請求項７】
被写体を撮像素子上に結像して画像データを生成する撮影装置において、
ボディと、
前記ボディから少なくとも一部が突出する鏡胴と、
前記鏡胴の外周に露出して配置された、前記ボディからの露出量の変更が自在な放熱部材と、
前記放熱部材による放熱対象の発熱部品の温度を測定する温度センサと、
前記放熱部材を、前記発熱部品の温度上昇に応じて前記ボディからの露出量を増大させるように該露出量を変化させる駆動部とを備えたことを特徴とする撮影装置。
【請求項８】
前記鏡胴が、撮影光学系と撮像素子とを内蔵し、前記ボディに着脱自在に装着されるものであることを特徴とする請求項１、４、又は７記載の撮影装置。
【請求項９】
ボディと、該ボディから少なくとも一部が突出する鏡胴と、前記鏡胴の外周に露出して配置された放熱部材とを備えた、被写体を撮像素子上に結像して画像データを生成する撮影装置における放熱方法であって、
前記放熱部材の、前記ボディからの露出量を変更することにより放熱効率を変更することを特徴とする放熱方法。
【請求項１０】
前記放熱部材の、前記ボディからの露出量を、電源オン、オフに伴って、電源オン時に電源オフ時よりも増大させることを特徴とする請求項９記載の放熱方法。
【請求項１１】
前記放熱部材の、前記ボディからの露出量を、撮影モードの切替えに応じて変更することを特徴とする請求項９記載の放熱方法。
【請求項１２】
前記放熱部材の、前記ボディからの露出量を、該放熱部材による放熱対象の発熱部品の温度に応じて変更することを特徴とする請求項９記載の放熱方法。
【発明の詳細な説明】
【技術分野】
【０００１】
本発明は、被写体を撮像素子上に結像して画像データを生成する撮影装置およびその撮影装置の放熱方法に関する。
【背景技術】
【０００２】
最近、デジタルカメラの分野では、撮像素子の画素数の増加が急速に進み、このような画素数の多い撮像素子からの発熱が問題となりつつある。また、最近はデジタルカメラのインテリジェント化が進み、高度な処理を高速で実行する大規模な集積回路が多数実装されたＡＦＥ（Ａｎａｌｏｇ  Ｆｒｏｎｔ  Ｅｎｄ：アナログフロントエンド）を備えたものが増えてきている。このような大規模な集積回路を多数実装したＡＦＥも、画素数の多い撮像素子と同様、多量の熱を発生する。
【０００３】
このように発熱量の大きい撮像素子やＡＦＥを備えたデジタルカメラでは、カメラの動作中に撮像素子やＡＦＥの温度が上昇し、安定な動作が保証される許容温度範囲を超えてしまう恐れがあり、極端な場合にはカメラの焼損事故が発生することも考えられる。また、焼損事故に至らないまでも、カメラ内部からの発熱によりカメラボディが熱くなってくるとユーザに不安感を与えることとなる。
【０００４】
そこで、カメラ内部で発生した熱を放散させるために、カメラ上部に開閉可能な放熱用通気孔を少なくとも２個所設け、ユーザが意図する時にその放熱用通気孔を開くことができるようにしたデジタルカメラが開示されている（例えば特許文献１参照）。
【０００５】
また、撮像素子および撮影光学系を内蔵した鏡胴の光軸後方に、鏡胴の熱伝導率よりも高い熱伝導率を有する放熱部材を設け、鏡胴内のＣＰＵなどから発生した熱をマウント部を介して放熱部材に伝えてカメラ外部に放散するようにしたカメラヘッドが開示されている（例えば特許文献２参照）。
【０００６】
また、動作中発熱する電子デバイスを備えた電子機器において、前記発熱する電子デバイスに密着させた電子冷却素子と、電子機器の外部へ熱を輸送するヒートパイプと、伸縮可能な熱伝導機構（ベローズ）とを備えた電子機器の冷却装置が開示されている（例えば特許文献３参照）。
【特許文献１】特開２００３−２４９７８２号公報
【特許文献２】特開２００６−１２１６４６号公報
【特許文献３】特開平８−１７９８０号公報
【発明の開示】
【発明が解決しようとする課題】
【０００７】
しかし、上記の特許文献１に開示されたデジタルカメラでは、放熱用通気孔からの水分、埃、異物などの侵入を防止するために複雑な構造の通気孔開閉機構が必要であり、コストアップを招く恐れがある。また、カメラデザインの観点から上部に大きな通気孔を設けるわけにはいかず、効果的な放熱を期待することはできない。
【０００８】
また、上記の特許文献２に開示されたカメラヘッドは、放熱部材の部分が常に露出した構造となっているため、携帯性およびデザイン性の上で好ましいとはいえない。
【０００９】
また、上記の特許文献３に開示された電子機器の冷却装置は、電子冷却素子およびベローズの部分が常に露出した構造であるため、携帯性およびデザイン性の点でデジタルカメラにとって好ましいものとはいえない。また、ヒートパイプを備えた複雑な冷却構造はコストの点からもデジタルカメラには向かない。
【００１０】
本発明は、上記事情に鑑み、効果的な放熱が可能で、携帯性およびデザイン性に優れた撮影装置、および携帯性とデザイン性に優れた撮影装置における効果的な放熱方法を提供することを目的とする。
【課題を解決するための手段】
【００１１】
上記目的を達成する本発明の第１の撮影装置は、
被写体を撮像素子上に結像して画像データを生成する撮影装置において、
ボディと、
上記ボディから少なくとも一部が突出する鏡胴と、
上記鏡胴の外周に露出して配置された、電源オン時に、電源オフ時と比べ上記ボディからの露出量を増大させる放熱部材とを備えたことを特徴とする。
【００１２】
本発明の第１の撮影装置によれば、電源オン時に、鏡胴のボディからの露出量を増大させることにより放熱部材から効果的に放熱させることができるので、効果的な放熱が可能で、携帯性およびデザイン性に優れた撮影装置を得ることができる。
【００１３】
ここで、上記放熱部材は、手動操作で上記ボディからの露出量が変更されるものであって、
上記放熱部材の少なくとも一部が上記ボディから引き出されることによって電源オンに切り替えるとともに、少なくとも一部が上記ボディに収納されることによって電源オフに切り替える電源スイッチを備えたものであってもよい。
【００１４】
本発明の第１の撮影装置を上記のように構成した場合は、簡単な構造で、効果的な放熱が可能な、携帯性およびデザイン性に優れた撮影装置を得ることができる。
【００１５】
また、上記放熱部材とは独立に電源オン、オフ操作が行われる電源スイッチと、
上記電源スイッチによる電源オンおよび電源オフに応じて、それぞれ、上記放熱部材の上記ボディからの露出量を増大させ、および減少させる駆動部とを備えたものであってもよい。
【００１６】
本発明の第１の撮影装置を上記のように構成した場合は、操作性がよく、効果的な放熱が可能で、携帯性およびデザイン性に優れた撮影装置を得ることができる。
【００１７】
また、上記目的を達成する本発明の第２の撮影装置は、
被写体を撮像素子上に結像して画像データを生成する撮影装置において、
ボディと、
上記ボディから少なくとも一部が突出する鏡胴と、
上記鏡胴の外周に露出して配置された、
撮影モードに応じて上記ボディからの露出量を変化させる放熱部材とを備えたことを特徴とする。
【００１８】
本発明の第２の撮影装置によれば、例えば、発熱量が大きい高画質動画モード、発熱量が中程度の高画質連写モード、発熱量が小さい通常撮影モードなどのように複数の撮影モードを有する撮影装置の場合に、そのときの撮影モードに応じて放熱部材のボディからの露出量を変化させることができるので、効果的な放熱が可能で、携帯性およびデザイン性に優れた撮影装置を得ることができる。
【００１９】
ここで、上記放熱部材は、手動操作で上記ボディからの露出量が変更されるものであって、
上記放熱部材の上記ボディからの露出量変更操作に応じて撮影モード切替え操作が行われるモード切替スイッチを備えたものであってもよい。
【００２０】
本発明の第２の撮影装置を上記のように構成した場合は、簡単な構造で、効果的な放熱が可能な、携帯性およびデザイン性に優れた撮影装置を得ることができる。
【００２１】
また、上記放熱部材とは独立に撮影モード切替え操作が行われるモード切替スイッチと、
上記モード切替スイッチによる撮影モードの切替えに応じて上記放熱部材の上記ボディからの露出量を変更させる駆動部とを備えたものであってもよい。
【００２２】
本発明の第２の撮影装置を上記のように構成した場合は、操作性がよく、効果的な放熱が可能で、携帯性およびデザイン性に優れた撮影装置を得ることができる。
【００２３】
また、上記目的を達成する本発明の第３の撮影装置は、
被写体を撮像素子上に結像して画像データを生成する撮影装置において、
ボディと、
上記ボディから少なくとも一部が突出する鏡胴と、
上記鏡胴の外周に露出して配置された、上記ボディからの露出量の変更が自在な放熱部材と、
上記放熱部材による放熱対象の発熱部品の温度を測定する温度センサと、
上記放熱部材を、上記発熱部品の温度上昇に応じて上記ボディからの露出量を増大させるように該露出量を変化させる駆動部とを備えたことを特徴とする。
【００２４】
本発明の第３の撮影装置によれば、発熱部品の温度上昇に応じて放熱部材のボディからの露出量を増大させるようになっているので、効果的な放熱が可能で優れた携帯性およびデザイン性を有する撮影装置を実現することができる。
【００２５】
ここで、上記鏡胴が、撮影光学系と撮像素子とを内蔵し、上記ボディに着脱自在に装着されるものであってもよい。
【００２６】
本発明の撮影装置を上記のように構成した場合は、鏡胴がボディに着脱自在な構造の撮影装置においても、効果的な放熱が可能で、携帯性およびデザイン性に優れた撮影装置を得ることができる。
【００２７】
また、上記目的を達成する本発明の放熱方法は、
ボディと、該ボディから少なくとも一部が突出する鏡胴と、前記鏡胴の外周に露出して配置された放熱部材とを備えた、被写体を撮像素子上に結像して画像データを生成する撮影装置における放熱方法であって、
上記放熱部材の、上記ボディからの露出量を変更することにより放熱効率を変更することを特徴とする。
【００２８】
本発明の放熱方法によれば、鏡胴のボディからの露出量を変更することにより、携帯性とデザイン性に優れた撮影装置における放熱効率を容易に向上させることができる。
【００２９】
ここで、上記放熱部材の、上記ボディからの露出量を、電源オン、オフに伴って、電源オン時に電源オフ時よりも増大させるようにしてもよい。
【００３０】
本発明の放熱方法を上記のように構成した場合は、電源オン、オフの操作に応じて放熱効率が変更されるので、操作性のよい放熱方法を提供することができる。
【００３１】
また、上記放熱部材の、上記ボディからの露出量を、撮影モードの切替えに応じて変更するようにしてもよい。
【００３２】
本発明の放熱方法を上記のように構成した場合は、撮影モードの切替えに応じて放熱効率が変更されるので、操作性のよい放熱方法を提供することができる。
【００３３】
また、上記放熱部材の、上記ボディからの露出量を、該放熱部材による放熱対象の発熱部品の温度に応じて変更するようにしてもよい。
【００３４】
ここで、放熱対象の発熱部品とは、例えば、鏡胴に内蔵された撮像素子やＡＦＥを構成する集積回路などをいう。
【００３５】
本発明の放熱方法を上記のように構成した場合は、放熱対象の発熱部品の温度に応じて放熱部材の露出量が変更されるので、操作性のよい放熱方法を提供することができる。
【発明の効果】
【００３６】
本発明によれば、効果的な放熱が可能で、携帯性およびデザイン性に優れた撮影装置、および携帯性とデザイン性に優れた撮影装置における効果的な放熱方法を実現することができる。
【発明を実施するための最良の形態】
【００３７】
以下、図を参照して本発明の実施の形態を説明する。
【００３８】
図１は、本発明の第１の実施形態であるデジタルカメラの外観図であり、図２は、図１に示したデジタルカメラの鏡胴の一部である放熱部材がボディから引き出されたときの外観図である。
【００３９】
なお、本実施形態では、撮影装置の一例として、主として静止画像を撮影するいわゆるデジタルカメラについて説明するが、本発明の撮影装置は、このデジタルカメラのみに限定されるものではなく、例えば、いわゆるデジタルビデオカメラなどにも適用することができる。
【００４０】
本発明のデジタルカメラは、鏡胴の一部である放熱部材を、ボディ内に収納、又はボディから引き出し可能な構造となっており、図１には、放熱部材がボディ内に収納された状態のデジタルカメラが示されている。
【００４１】
図１に示すように、このデジタルカメラには、ボディ１００９の正面に鏡胴１０００や撮影補助光発光窓１００８などが備えられている。鏡胴１０００には撮影レンズや撮像素子（後述）などが内蔵されており、撮影レンズを用いて撮像素子上に被写体を結像させることにより画像データを生成するようになっている。また、ボディ１００９の上面にはシャッタボタン１０４および撮影モード切替スイッチ１０５が備えられており、シャッタボタン１０４が押下されることにより撮影開始の合図が、後述するシステム制御回路へと伝えられるようになっており、また、撮影モード切替スイッチ１０５が操作されることにより撮影モードが切り替えられるようになっている。
【００４２】
図１には、鏡胴１０００の一部がボディ１００９から突出し、鏡胴１０００の他の一部である放熱部材１０９０がボディ１００９内に収納された状態が示されており、図２には、放熱部材１０９０を含む鏡胴１０００全体がボディ１００９から突出した状態が示されている。この放熱部材１０９０は、鏡胴１０００の一部として鏡胴１０００の外周に露出して配置されたものでもよく、また、鏡胴１０００とは独立に鏡胴１０００を取り巻いて配置されたものでもよい。
【００４３】
図３は、図１、図２に示すデジタルカメラから取り外された鏡胴および放熱部材を示す図である。
【００４４】
図３には、鏡胴１０００とは独立に鏡胴１０００を取り巻いて配置された放熱部材１０９０が示されている。
【００４５】
図４は、図３に示した鏡胴および放熱部材の内部構造を示す図である。
【００４６】
図４に示すように、鏡胴１０００には、レンズを保護するレンズバリア１０１１、撮影レンズ１０２１、および絞り１０４１が内蔵されており、鏡胴１０００の一部である放熱部材１０９０には、撮像素子であるＣＣＤ（Ｃｈａｒｇｅ  Ｃｏｕｐｌｅｄ  Ｄｅｖｉｃｅｓ）１２０が内蔵されている。
【００４７】
なお、鏡胴１０００は、ボディ１００９に取り付けられていてもよく、また、ボディ１００９に着脱自在に装着されるように構成してもよい。
【００４８】
鏡胴１０００をボディ１００９から引き出しあるいはボディ１００９内に収納する、いわゆる沈胴機構としては、電動式および手動式の二通りの方式がある。
【００４９】
図５は、本発明の撮影装置における電動式沈胴機構の一例を示す図であり、図６は、電動式沈胴機構を備えた本発明の撮影装置の沈胴前後の状態を示す図である。
【００５０】
図５に示すように、鏡胴１０００は、撮影レンズ１０２１（図４参照）が内蔵されたレンズ部１０００ａ、鏡胴の一部である放熱部材１０００ｂ、突起１０００ｃを有するカム部内側部材１０００ｄ、突起１０００ｃを案内する案内溝１０００ｅを有するカム部外側部材１０００ｆ、カム部外側部材１０００ｆに固定されたギヤ１０００ｇ、ギヤ１０００ｇと係合するピニオン１０００ｈ、およびピニオン１０００ｈを駆動するモータ１０００ｉから構成されており、モータ１０００ｉを回転させることによりカム部を介して鏡胴１０００がボディ１００９から引き出され、又はボディ１００９内に収納される。
【００５１】
このモータ１０００ｉは、本発明にいう駆動部の一例に相当するものである。
【００５２】
図６（ａ）には、鏡胴１０００のうちの放熱部材１０９０がボディ１００９内に収納され、放熱部材１０９０が露出していない状態、図６（ｂ）には、鏡胴１０００のうちの放熱部材１０９０がボディ１００９内部から引き出され、放熱部材１０９０が露出された状態がそれぞれ示されている。
【００５３】
図７は、手動式沈胴機構を備えた本発明の撮影装置の沈胴前および沈胴後の状態を示す図であり、図８は、本発明の撮影装置における手動式沈胴機構の詳細を示す図である。
【００５４】
図７（ａ）には、手動で鏡胴１０００をボディ１００９のうちの放熱部材１０９０をボディ１００９内に押し込み、放熱部材１０９０の露出度をゼロにした状態、図７（ｂ）には、手動で鏡胴１０００のうちの放熱部材１０９０をボディ１００９から引き出し、放熱部材１０９０全体をボディ１００９外に露出させた状態がそれぞれ示されている。ボディ１００９には、鏡胴１０００の位置決めを行う固定部材１０００ｋが取り付けられており、一方、鏡胴１０００のボディ側端部には支持部材１０００ｌが取り付けられている。この支持部材１０００ｌおよび弾性部材１０００ｊが、上記固定部材１０００ｋを両側から挟むようにして鏡胴１０００を支持するようになっている。弾性部材１０００ｊは、操作時にクリック感を持たせるために波形の形状に形成されている。
【００５５】
図７（ａ）、（ｂ）、および図８に示すように、鏡胴１０００には、ロッド状の摺動部材１０００ｎが取り付けられており、ボディ１００９側に取り付けられたパイプ状のガイド部材１０００ｍと協働して放熱部材１０９０のボディ１００９内への押し込み・引き出しを案内するようになっている。
【００５６】
また、図８に示すように、支持部材１０００ｌには位置検出用スイッチ１０００ｐが設けられており、位置検出用スイッチ１０００ｐによる位置検出信号がシステム制御回路（後述）に送られるようになっている。
【００５７】
次に、本発明の第１の実施形態であるデジタルカメラ１の回路構成およびその動作について説明する。
【００５８】
図９は、本発明の第１の実施形態であるデジタルカメラの回路構成を示すブロック図である。
【００５９】
図９に示すように、この第１の実施形態のデジタルカメラ１は、ボディ１００９と、ボディ１００９から少なくとも一部が突出する鏡胴１０００とから構成されている。この鏡胴１０００には、撮影光学系であるレンズバリア１０１１、撮影レンズ１０２１、絞り１０４１と、および撮像素子であるＣＣＤ１２０が内蔵されている。また、この鏡胴１０００の一部としての放熱部材１０９０を備えている。この放熱部材１０９０は、電源オン時に電源オフ時と比べてボディ１００９からの露出量を増大させるように構成されている。
【００６０】
このデジタルカメラ１では、放熱部材１０９０は、手動操作でボディ１００９からの露出量が変更されるようになっている。そして、手動操作で放熱部材１０９０の少なくとも一部がボディ１００９から引き出されることによってこのデジタルカメラ１に設けられている電源スイッチ１００１が電源オン側に切り替えられるようになっており、また、手動操作で放熱部材１０９０の少なくとも一部がボディ１００９に収納されることによって電源スイッチ１００１が電源オフ側に切り替えられるように構成されている。
【００６１】
このデジタルカメラ１では、システム制御回路１１０によってすべての処理が制御されるようになっている。このシステム制御回路１１０への入力部としては、図１に示したシャッタボタン１０４、撮影モード切替スイッチ１０５のほか、ズームスイッチ（図示せず）等の操作子が接続されており、それらの操作子のうちの少なくともいずれかの操作子からの操作信号がシステム制御回路１１０に供給されてくることにより、その操作信号に応じた処理が開始されるようになっている。
【００６２】
このデジタルカメラ１には、レンズ鏡胴１０００（図１参照）に内蔵された、フォーカスレンズやズームレンズなどの撮影レンズ１０２１、光量調節用の絞り１０４１などが配備されている。また、撮影レンズ１０２１の前面には、レンズを保護するレンズバリア１０１１が配備されている。このレンズバリア１０１１はバリア制御手段１０１０を介してシステム制御回路１１０により制御される。
【００６３】
また、このデジタルカメラ１には媒体装填室３０１が設けられており、その媒体装填室３０１に着脱自在な記憶媒体３００（ここではメモリカード３００）が装填され、そのメモリカード３００に撮影画像を表わす画像データが記録されるようになっている。また、メモリカード３００が媒体装填室３０１内に装着されているかどうかを検知するための記憶媒体着脱検知手段１０８も備えられている。
【００６４】
さらに、このデジタルカメラ１には、画像を表示する画像表示部１５０が備えられている。
【００６５】
また、システム制御回路１１０は、ズームスイッチ（図示せず）の操作に応じてズーム制御手段１０２０に指示して撮影レンズ１０２１の中のズームレンズを移動させたり、ＴＴＬ（Ｔｈｒｏｕｇｈ−Ｔｈｅ−Ｌｅｎｓｅ）測距により得た測距結果に応じて撮影レンズ１０２１の中のフォーカスレンズを移動させる機能を備えている。
【００６６】
また、このシステム制御回路１１０により、ＣＣＤ１２０で生成された画像信号に基づき上記ＴＴＬ測距とともにＴＴＬ測光が行なわれるようになっている。
【００６７】
さらに、このデジタルカメラ１では、ＣＣＤ１２０で生成された画像データが画像処理回路１４０を介して色温度測定回路（図示せず）に供給され、その色温度の測定結果に基づいて好適なホワイトバランス調整が行なわれるようになっている。
【００６８】
また、システム制御回路１１０は、上記ＴＴＬ測光による測光値に応じて露光制御手段１０４０に指示して絞り１０４１（図４参照）の開口を調節させたり、さらに撮影時においては測光結果を基に撮影補助光の発光を行わせる必要があるかどうかの判定を行うようになっている。システム制御回路１１０は、撮影補助光の発光を行わせる必要があると判定したときには、補助光発光部（図示せず）に指示して被写体に向けて撮影補助光を照射させるようになっている。
【００６９】
さらに、このデジタルカメラ１には、各部に電源を供給する、電源部１０および電源制御手段１１１ｂが設けられている。
【００７０】
ここで、このデジタルカメラ１の基本動作について説明する。
【００７１】
このデジタルカメラ１において、電源が投入されると、レンズバリア１０１１が開いて、撮影レンズ１０２１が表面に露出し、撮影レンズ１０２１を通ってＣＣＤ１２０上の受光面に結像された被写体像が、タイミング発生回路１２１からのタイミング信号に基づいて所定の時間間隔ごとに出力される。
【００７２】
出力されたスルー画を表わす画像信号（以下スルー画信号）は、Ａ／Ｄ変換回路１３０でアナログ信号からデジタル信号に変換され、デジタルに変換された画像信号がメモリ制御部１１１ａの制御の基で画像処理回路１４０に導かれる。
【００７３】
画像処理回路１４０では、ＲＧＢのスルー画信号はＹＣ信号のスルー画信号に変換され、メモリ制御部１１１ａの制御の基で画像表示メモリ１５１に導かれ、そこに記憶されるようになっている。
【００７４】
画像表示メモリ１５１内に記憶された１フレーム分のスルー画信号はメモリ制御部１１１ａにより読み出されてＤ／Ａ変換回路１６０に導かれ、アナログのスルー画信号に変換されて画像表示部１５０に供給される。画像表示部１５０には所定の時間間隔ごとに新しいスルー画信号が供給されるように、画像表示メモリ１５１に少なくとも２フレーム分のスルー画信号を記憶しておくことによって表示タイミングが適正に調整されるようになっている。
【００７５】
前述のように、システム制御回路１１０によりＴＴＬ測距が行なわれ、その測距結果に基づいて常に合焦点に撮影レンズ１０２１の中のフォーカスレンズが配置される。また、ズームスイッチ（図示せず）が操作されたときにはズーム制御手段１０２０に指示してズームスイッチ操作によるズーム倍率に応じた位置に撮影レンズ１０２１の中のズームレンズを配置させるようになっている。こうして、ピントのあった、ズーム操作に応じたズーム倍率のスルー画が画像表示部１５０に表示されているときにシャッタボタン１０４が押下されることにより撮影処理が開始される。
【００７６】
システム制御回路１１０は、シャッタボタン１０４が押下されたタイミングで露光開始信号をＣＣＤ１２０に向けて出力する。このときシステム制御回路１１０は、ＴＴＬ測光結果により撮影補助光の発光が必要であると判定した場合には、発光量制御手段（図示せず）に指示してシャッタボタン１０４の押下に同期したタイミングで撮影補助光を補助光発光部（図示せず）に発光させるようになっている。
【００７７】
こうして、シャッタボタン１０４の押下に応じて、撮影補助光が発光されるか、もしくは発光されずにシャッタ秒時が経過した後、システム制御回路１１０は、タイミング発生回路１２１に指示を出して露光終了信号をＣＣＤ１２０に向けて出力する。この露光終了信号に同期してＣＣＤ１２０からＡ／Ｄ変換回路１３０に画像信号が出力される。
【００７８】
Ａ／Ｄ変換回路１３０は、ＣＣＤ１２０から出力されたアナログの画像信号をデジタルの画像信号に変換する。このデジタルの画像信号はメモリ制御部１１１ａにより制御され、バスを経由してメモリ１８０に供給される。画像信号がすべてメモリ１８０に記憶された後
、システム制御回路１１０の制御の基でその画像信号は読み出され、システム制御回路１１０でホワイトバランス調整やガンマ補正などが行なわれる。
【００７９】
こうして、画像信号にホワイトバランス調整やガンマ補正などが行なわれた後、画像信号はバスを介して画像処理回路１４０に供給され、ＹＣ信号への変換が行なわれる。ＹＣ信号に変換された画像信号はバスを介して圧縮・伸長回路１９０に供給され、ＹＣ信号からなる画像信号は圧縮された状態で記憶媒体（メモリカード）３００に記憶される。
【００８０】
次に、本発明の第１の撮影装置の第１の実施形態であるデジタルカメラ１の動作について説明する。
【００８１】
図１０は、本発明の第１の実施形態のデジタルカメラの動作を示すフローチャートである。
【００８２】
この第１の実施形態のデジタルカメラ１では、放熱部材１０９０（図９参照）は、電源オン時に、電源オフ時と比べてボディ１００９からの露出量を増大させるように構成されており、手動操作によってボディ１００９からの放熱部材１０９０の露出量を変更することができるようになっている。
【００８３】
図１０に示すように、このデジタルカメラ１では、放熱部材１０９０がボディ１００９から引き出される（ステップＳ０１）ことによって電源立ち上げが行われるようになっている。すなわち、操作者により鏡胴１０００のうちの放熱部材１０９０の一部がボディ１００９から引き出されると（図７（ａ）、（ｂ）参照）、電源スイッチ１００１（図９参照）が作動し、システム制御回路１１０の制御の基に電源立ち上げ処理が行われる（ステップＳ０２）。こうしてカメラは動作状態となる（ステップＳ０３）。この状態から、操作者により放熱部材１０９０がボディ１００９内に引き込められると（ステップＳ０４）、電源スイッチ１００１（図９参照）が作動し、システム制御回路１１０の制御の基に電源立ち下げ処理が行われる（ステップＳ０５）。
【００８４】
このように、このデジタルカメラ１によれば、簡単な構造で、放熱部材から効果的に放熱させることが可能な、優れた携帯性およびデザイン性を有する撮影装置を実現することができる。
【００８５】
次に、本発明の第２の実施形態について説明する。
【００８６】
図１１は、本発明の第２の実施形態であるデジタルカメラの回路構成を示すブロック図である。
【００８７】
図１１に示すように、この第２の実施形態のデジタルカメラ２は、前述のデジタルカメラ１とほぼ同様の回路構成を有しているが、以下の点で互いに相違している。すなわち、デジタルカメラ１（図９参照）では、放熱部材１０９０は手動操作でボディ１００９からの露出量が変更されるようになっており、かつ、手動操作による放熱部材１０９０のボディ１００９からの引き出し又は収納によって、電源スイッチ１００１が電源オン又はオフに切り替えられるようになっているが、この第２の実施形態のデジタルカメラ２（図１１参照）では、放熱部材１０９０とは独立に電源オン・オフ操作が行われる電源スイッチ１００５と、電源スイッチ１００５による電源オン・オフ操作に応じて、それぞれ、放熱部材１０９０のボディ１００９からの露出量を増大させ、および減少させる駆動部１００２とを備えた構成となっている。
【００８８】
図１２は、本発明の第２の実施形態であるデジタルカメラの動作を示すフローチャートである。
【００８９】
この第２の実施形態のデジタルカメラ２は、放熱部材１０９０（図９参照）とは独立に電源オン・オフ操作が行われる電源スイッチ１００５と、その電源スイッチ１００５による電源オン・オフ操作に応じて、それぞれ、放熱部材１０９０のボディ１００９からの露出量を増大させ、および減少させる駆動部１００２とを備えている。
【００９０】
図１２に示すように、このデジタルカメラ２では、電源スイッチ１００５が押下される（ステップＳ１１）ことによってシステム制御回路１１０の制御の基に電源立ち上げ処理が行われ（ステップＳ１２）、さらに、駆動部１００２による放熱部材繰り出し処理が行われて放熱部材１０９０がボディ１００９から引き出される（ステップＳ１３）。これにより放熱部材１０９０のボディ１００９からの露出量が増大した状態でデジタルカメラ２は動作状態に入る（ステップＳ１４）。カメラが動作状態にある間に、電源スイッチ１００５が切られると（ステップＳ１５）、駆動部１００２による放熱部材１０９０の繰り出し処理が行われ、放熱部材１０９０はボディ１００９内に引き込まれる（ステップＳ１６）。これにより放熱部材１０９０のボディ１００９からの露出量が減少し、それとともにシステム制御回路１１０の制御の基に電源立ち下げ処理が行われる（ステップＳ１７）。
【００９１】
このように、このデジタルカメラ２によれば、簡単な構造で、放熱部材から効果的に放熱させることが可能な、優れた携帯性およびデザイン性を有する撮影装置を実現することができる。
【００９２】
次に、本発明の第３の実施形態について説明する。
【００９３】
この本発明の第３の実施形態のデジタルカメラは、撮影モードに応じてボディからの露出量を変化させる放熱部材を備えている。一般に、デジタルカメラでは、通常の静止画を撮影する通常撮影モード、静止画を連続撮影する連写モード、動画を撮影する動画モードなど複数の撮影モードを有するものが多いが、この第３の実施形態では、カメラがどの撮影モードに設定されているかに応じて、放熱部材のボディからの露出量を変化させるようになっている。すなわち、設定された撮影モードに応じて、図１に示したように放熱部材１０９０がボディ１００９から引き出され、あるいは図２に示したように放熱部材１０９０がボディ１００９に収納される。
【００９４】
図１３は、本発明の第３の実施形態であるデジタルカメラの外観図である。
【００９５】
図１３に示すように、本発明の第３の実施形態では、放熱部材１０９０のボディ１００９からの露出量を複数段階に変化させることができるようになっている。すなわち、図１３（ａ）には、放熱部材１０９０のボディ１００９からの露出量が最大である第１段階の状態、図１３（ｂ）には、放熱部材１０９０のボディ１００９からの露出量が中程度である第３段階の状態、図１３（ｃ）には、放熱部材１０９０のボディ１００９からの露出量がゼロである第３段階の状態が示されている。
【００９６】
次に、本発明の第３の実施形態について説明する。
【００９７】
図１４は、本発明の第３の実施形態であるデジタルカメラの回路構成を示すブロック図である。
【００９８】
図１４に示すように、第３の実施形態のデジタルカメラ３は、図９に示したデジタルカメラ１とほぼ同様の回路構成を有しているが、以下の点に特徴がある。すなわち、このデジタルカメラ３では、放熱部材１０９０は、撮影モードに応じてボディ１００９からの露出量を変化させるようになっており、さらに、手動操作でボディ１００９からの露出量が変更されるものであって、かつ、放熱部材１０９０のボディ１００９からの露出量変更操作に応じて撮影モード切替え操作が行われるモード切替スイッチ１００３を備えている。
【００９９】
次に、本発明の第３の実施形態のデジタルカメラの動作について説明する。
【０１００】
図１５は、本発明の第３の実施形態のデジタルカメラの動作を示すフローチャートである。
【０１０１】
図１５に示すように、このデジタルカメラ３では、電源スイッチ１００５（図１３参照）が押下される（ステップＳ２１）ことによりシステム制御回路１１０の制御の基に電源立ち上げ処理が行われる（ステップＳ２２）。このデジタルカメラ３には、放熱部材１０９０のボディ１００９からの露出量変更操作に応じて撮影モード切替え操作が行われるモード切替スイッチ１０５が備えられており、このモード切替スイッチ１０５により放熱部材１０９０のボディ１００９からの露出量が検出されると、それに応じてこのデジタルカメラ３の撮影モードが切り替えられるようになっている。すなわち、ステップＳ２３において、放熱部材１０９０のボディ１００９からの露出量が第１段階の状態（図１４（ａ）参照）であった場合にはステップＳ２７に進み、このデジタルカメラ３の撮影モードは高画質動画モードに切り替えられ後、カメラは動作状態に入る（ステップＳ２８）。
【０１０２】
また、ステップＳ２３において、放熱部材１０９０のボディ１００９からの露出量が第２段階の状態（図１４（ｂ）参照）であった場合にはステップＳ２４を経てステップＳ２５に進み、このデジタルカメラ３の撮影モードは高画質連写モードに切り替えられた後、カメラは動作状態に入る（ステップＳ２８）。
【０１０３】
一方、ステップＳ２３およびステップＳ２４において、放熱部材１０９０のボディ１００９からの露出量が第１段階の状態（図１４（ａ）参照）でも第２段階の状態（図１４（ｂ）参照）でもなかった場合にはステップＳ２６に進み、このデジタルカメラ３の撮影モードは通常撮影モードに切り替えられた後、カメラは動作状態に入る（ステップＳ２８）。
【０１０４】
ステップＳ２８においてカメラが動作状態にある間に、電源スイッチ１００５が切られると（ステップＳ２９）、システム制御回路１１０の制御の基に電源立ち下げ処理が行われる（ステップＳ３０）。
【０１０５】
このように、このデジタルカメラ３によれば、そのときの撮影モードに応じて放熱部材のボディからの露出量を変化させることができるので、簡単な構造で、効果的な放熱が可能な、優れた携帯性およびデザイン性を有する撮影装置を実現することができる。
【０１０６】
次に、この本発明の第４の実施形態について説明する。
【０１０７】
図１６は、本発明の第４の実施形態のデジタルカメラの回路構成を示すブロック図である。
【０１０８】
図１６に示すように、第４の実施形態のデジタルカメラ４では、図９に示したデジタルカメラ１とほぼ同様の回路構成を有しているが、以下の点に特徴がある。すなわち、このデジタルカメラ４は、放熱部材１０９０とは独立に撮影モードを切り替える撮影モード切替スイッチ１０５’と、モード切替スイッチ１０５による撮影モードの切替えに応じて放熱部材１０９０のボディ１００９からの露出量を変更させる駆動部１００６とを備えている。
【０１０９】
図１７は、本発明の第４の実施形態のデジタルカメラの動作を示すフローチャートである。
【０１１０】
図１７に示すように、このデジタルカメラ４では、電源スイッチ１００５（図１６参照）が押下される（ステップＳ３１）ことによりシステム制御回路１１０の制御の基に電源立ち上げ処理が行われる（ステップＳ３２）。
【０１１１】
次に、ステップＳ３３において、このデジタルカメラ４の撮影モードのチェックが行われる。
【０１１２】
ステップＳ３３において、撮影モードとして高画質動画モードが選択されていた場合には、ステップＳ３７に進み、放熱部材１０９０が第１段階の状態（図１４（ａ）参照）以外の状態であったときには駆動部１００６により放熱部材１０９０を第１段階まで移動させた後、カメラを動作状態とする（ステップＳ３８）。
【０１１３】
また、ステップＳ３３において、撮影モードとして高画質動画モードが選択されていない場合にはステップＳ３４に進む。ステップＳ３４において、撮影モードとして高画質連写モードが選択されていた場合には、ステップＳ３５に進み、放熱部材１０９０が第２段階の状態（図１４（ｂ）参照）以外の状態であったときには駆動部１００６により放熱部材１０９０を第２段階まで移動させた後、カメラを動作状態とする（ステップＳ３８）。
【０１１４】
一方、ステップＳ３３において、撮影モードとして高画質動画モードが選択されていない場合にはステップＳ３４に進む。ステップＳ３４において、撮影モードとして高画質連写モードが選択されていない場合には、ステップＳ３６に進み、放熱部材１０９０が第１段階の状態（図１４（ａ）参照）でも第２段階の状態（図１４（ｂ）参照）でもないときには駆動部１００６により放熱部材１０９０を収納位置（図１４（ｃ）参照）まで移動させた後、カメラを動作状態とする（ステップＳ３８）。
【０１１５】
ステップＳ３８においてカメラが動作状態にある間に、電源スイッチ１００５が切られると（ステップＳ３９）、システム制御回路１１０の制御の基に電源立ち下げ処理が行われる（ステップＳ４０）。
【０１１６】
このように、このデジタルカメラ４によれば、モード切替スイッチによる撮影モードの切替えに応じて放熱部材のボディからの露出量を変更させることができるので、簡単な構造で、効果的な放熱が可能な、優れた携帯性およびデザイン性を有する撮影装置を実現することができる。
【０１１７】
次に、本発明の第５の実施形態について説明する。
【０１１８】
図１８は、本発明の第５の実施形態であるデジタルカメラの回路構成を示すブロック図である。
【０１１９】
図１８に示すように、第５の実施形態のデジタルカメラ５は、図９に示したデジタルカメラ１とほぼ同様の回路構成を有しているが、以下の点に特徴がある。すなわち、このデジタルカメラ５は、ボディ１００９からの露出量の変更が自在な放熱部材１０９０と、放熱部材１０９０による放熱対象の発熱部品、すなわち鏡胴１０００内のＣＣＤ１２０やＡＦＥなどの温度を測定する温度センサ１００４と、放熱部材１０９０を、上記発熱部品の温度上昇に応じてボディ１００９からの露出量を増大させるように該露出量を変化させる駆動部１００２とを備えた構成となっている。
【０１２０】
図１９は、本発明の第５の実施形態のデジタルカメラの動作を示すフローチャートである。
【０１２１】
図１９に示すように、このデジタルカメラ５では、電源スイッチ１００５（図１８参照）が押下される（ステップＳ４１）ことによりシステム制御回路１１０の制御の基に電源立ち上げ処理が行われ（ステップＳ４２）、カメラは動作状態となる（ステップＳ４３）。
【０１２２】
次に、ステップＳ４４において、温度センサ１００４（図１８参照）の出力が所定の閾値内に入っているか否かが判定される。
【０１２３】
ステップＳ４４における判定の結果、温度センサ１００４の出力が所定の閾値内に入っている場合にはステップＳ４６に進み、駆動部１００６により放熱部材１０９０を収納位置（図１４（ｃ）参照）まで移動させた後、ステップＳ４７に進む。
【０１２４】
一方、ステップＳ４４における判定の結果、温度センサ１００４の出力が所定の閾値の範囲外の場合にはステップＳ４５に進み、駆動部１００６により放熱部材１０９０の繰り出し処理を行った後、ステップＳ４７に進む。この繰り出し処理では、放熱部材１０９０の繰り出し度合いは温度センサ１００４の出力の程度に応じて設定される。
【０１２５】
次に、ステップＳ４７において、このデジタルカメラ５の電源スイッチ１００５が切られたか否かの判定が行われ、電源スイッチ１００５が切られていない場合にはステップＳ４３に戻りカメラの動作状態が続けられる。一方、電源スイッチ１００５が切られた場合にはステップＳ４８に進みシステム制御回路１１０の制御の基に電源立ち下げ処理が行われる。
【０１２６】
このように、デジタルカメラ５によれば、発熱部品の温度上昇に応じて放熱部材のボディからの露出量を増大させるようになっているので、効果的な放熱が可能で優れた携帯性およびデザイン性を有する撮影装置を実現することができる。
【０１２７】
次に、本発明の放熱方法について説明する。
【０１２８】
本発明の放熱方法は、前述の通り、ボディと、該ボディから少なくとも一部が突出する鏡胴と、鏡胴の一部として鏡胴の外周に露出して配置され、又は鏡胴とは独立に鏡胴を取り巻いて配置された放熱部材とを備えた、被写体を撮像素子上に結像して画像データを生成する撮影装置における放熱方法であって、上記放熱部材の、上記ボディからの露出量を変更することにより放熱効率を変更することを要旨としている。
【０１２９】
次に、本発明の第６の実施形態について説明する。
【０１３０】
本発明の第６の実施形態である放熱方法は、上記放熱部材の、上記ボディからの露出量を、電源オン、オフに伴って、電源オン時に電源オフ時よりも増大させるというものである。
【０１３１】
この第６の実施形態の放熱方法は、図１１乃至図１２を参照して説明した第２の実施形態のデジタルカメラ２に対応している。従って、本実施形態の放熱方法では、上記デジタルカメラ２（図１１参照）の動作を示すフローチャート（図１２参照）と同様の手順で放熱が行われるので、ここでは詳細な説明を省略する。
【０１３２】
次に、本発明の第７の実施形態について説明する。
【０１３３】
本発明の第７の実施形態である放熱方法は、上記放熱部材の、上記ボディからの露出量を、撮影モードの切替えに応じて変更するというものである。
【０１３４】
この第７の実施形態の放熱方法は、図１６乃至図１７を参照して説明した第４の実施形態のデジタルカメラ４に対応している。従って、本実施形態の放熱方法では、上記デジタルカメラ４（図１６参照）の動作を示すフローチャート（図１７参照）と同様の手順で放熱が行われるので、ここでは詳細な説明を省略する。
【０１３５】
次に、本発明の第８の実施形態について説明する。
【０１３６】
本発明の第８の実施形態である放熱方法は、上記放熱部材の、上記ボディからの露出量を、該放熱部材による放熱対象の発熱部品の温度に応じて変更するというものであり、図１８乃至図１９を参照して説明した第５の実施形態のデジタルカメラ５に対応している。従って、本実施形態の放熱方法では、上記デジタルカメラ５（図１８参照）の動作を示すフローチャート（図１９参照）と同様の手順で放熱が行われるので、ここでは詳細な説明を省略する。
【図面の簡単な説明】
【０１３７】
【図１】本発明の第１の実施形態であるデジタルカメラの外観図である。
【図２】図１に示したデジタルカメラの鏡胴の一部である放熱部材がボディから引き出されたときの外観図である。
【図３】図１、図２に示すデジタルカメラから取り外された鏡胴および放熱部材を示す図である。
【図４】図３に示した鏡胴および放熱部材の内部構造を示す図である。
【図５】本発明の撮影装置における電動式沈胴機構の一例を示す図である。
【図６】電動式沈胴機構を備えた本発明の撮影装置の沈胴前後の状態を示す図である。
【図７】手動式沈胴機構を備えた本発明の撮影装置の沈胴前および沈胴後の状態を示す図である。
【図８】本発明の撮影装置における手動式沈胴機構の詳細を示す図である。
【図９】本発明の第１の実施形態であるデジタルカメラの回路構成を示すブロック図である。
【図１０】本発明の第１の実施形態のデジタルカメラの動作を示すフローチャートである。
【図１１】本発明の第２の実施形態であるデジタルカメラの回路構成を示すブロック図である。
【図１２】本発明の第２の実施形態であるデジタルカメラの動作を示すフローチャートである。
【図１３】本発明の第３の実施形態であるデジタルカメラの外観図である。
【図１４】本発明の第３の実施形態であるデジタルカメラの回路構成を示すブロック図である。
【図１５】本発明の第２の撮影装置の第１の実施形態の動作を示すフローチャートである。
【図１６】本発明の第４の実施形態のデジタルカメラの回路構成を示すブロック図である。
【図１７】本発明の第４の実施形態のデジタルカメラの動作を示すフローチャートである。
【図１８】本発明の第５の実施形態であるデジタルカメラの回路構成を示すブロック図である。
【図１９】本発明の第５の実施形態のデジタルカメラの動作を示すフローチャートである。
【符号の説明】
【０１３８】
１，１’，２，２’，３    デジタルカメラ
１０    電源部
１０４    シャッタボタン
１０５，１０５’    撮影モード切替スイッチ
１０８    記憶媒体着脱検知手段
１１０    システム制御回路
１１１ａ    メモリ制御部
１１１ｂ    電源制御手段
１２０    ＣＣＤ
１２１    タイミング発生回路
１３０    Ａ／Ｄ変換回路
１４０    画像処理回路
１５０    画像表示部
１５１    画像表示メモリ
１６０    Ｄ／Ａ変換回路
１８０    メモリ
１９０    圧縮・伸張回路
３００    記憶媒体、メモリカード
３０１    媒体装填室
１０００    鏡胴
１０００ａ    レンズ部
１０００ｂ    放熱部材
１０００ｃ    突起
１０００ｄ    カム部内側部材
１０００ｅ    案内溝
１０００ｆ    カム部外側部材
１０００ｇ    ギヤ
１０００ｈ    ピニオン
１０００ｉ    モータ
１０００ｊ    弾性部材
１０００ｋ    固定部材
１０００ｌ    支持部材
１０００ｍ    ガイド部材
１０００ｎ    摺動部材
１０００ｐ    位置検出用スイッチ
１００１    電源スイッチ
１００２    駆動部
１００３    モード切替スイッチ
１００４    温度センサ
１００５    電源スイッチ
１００６    駆動部
１００８    撮影補助光発光窓
１００９    ボディ
１０１０    バリア制御手段
１０１１    レンズバリア
１０２０    ズーム制御手段
１０２１    撮影レンズ
１０４０    露光制御手段
１０４１    絞り
【図１】
2008092066.tif 000003
【図２】
2008092066.tif 000004
【図３】
2008092066.tif 000005
【図４】
2008092066.tif 000006
【図５】
2008092066.tif 000007
【図６】
2008092066.tif 000008
【図７】
2008092066.tif 000009
【図８】
2008092066.tif 000010
【図９】
2008092066.tif 000011
【図１０】
2008092066.tif 000012
【図１１】
2008092066.tif 000013
【図１２】
2008092066.tif 000014
【図１３】
2008092066.tif 000015
【図１４】
2008092066.tif 000016
【図１５】
2008092066.tif 000017
【図１６】
2008092066.tif 000018
【図１７】
2008092066.tif 000019
【図１８】
2008092066.tif 000020
【図１９】
2008092066.tif 000021